(57)【特許請求の範囲】
【請求項１】
タンクローリーに備えられたタンクから液化天然ガスを液化天然ガス貯槽に移送して貯蔵し、当該液化天然ガス貯槽から前記液化天然ガスを払い出し、当該液化天然ガスを気化器で気化して、払出ラインを介して燃料ガスとして供給する液化天然ガスサテライト設備であって、
前記ローリータンクから前記液化天然ガス貯槽に前記液化天然ガスを移送する移送ラインと、
前記液化天然ガスの移送の際に前記ローリータンクの内圧を昇圧するための加圧ラインと、
前記液化天然ガスの移送終了後、前記移送ラインによって前記ローリータンクと前記液化天然ガス貯槽を連結した状態で前記液化天然ガス貯槽を前記気化器の下流側で前記払出ラインに接続するとともに、前記ローリータンクを前記気化器の下流側で前記払出ラインに接続する脱圧ラインとを有することを特徴とする液化天然ガスサテライト設備。
【請求項２】
前記移送ラインは、それぞれ前記液化天然ガス貯槽の下部及び上部に連結される第１及び第２の分岐ラインを有し、
前記第１及び前記第２の分岐ラインにはそれぞれ第１及び第２の開閉弁が備えられており、
前記液化天然ガスの移送の際に前記第１及び第２の開閉弁を開き、前記液化天然ガスの移送終了後、前記第２の開閉弁を閉じるようにしたことを特徴とする請求項１記載の液化天然ガスサテライト設備。
【請求項３】
前記第１の開閉弁は、前記ローリータンクの内圧が前記液化天然ガス貯槽の内圧に等しくなった際に閉じられることを特徴とする請求項２記載の液化天然ガスサテライト設備。
【請求項４】
前記第１の開閉弁を閉じた後、前記ローリータンクの内圧が前記燃料ガスの圧力以上である際に前記ローリータンクから天然ガスが前記脱圧ラインを介して前記払出ラインに供給されることを特徴とする請求項３記載の液化天然ガスサテライト設備。
【請求項５】
前記脱圧ラインは、前記液化天然ガス貯槽に連結される貯槽ラインと、前記ローリータンクに接続されるローリーラインとを有し、
前記貯槽ラインには圧力調整弁が備えられていることを特徴とする請求項１〜４のいずれか１項記載の液化天然ガスサテライト設備。
【請求項６】
前記ローリーラインは少なくとも前記移送ラインに接続されていることを特徴とする請求項５記載の液化天然ガスサテライト設備。
【請求項７】
前記加圧ラインには加圧器が備えられており、前記ローリーラインは前記移送ラインに接続されるとともに、前記加圧器の上流側で前記加圧ラインに接続されていることを特徴とする請求項５記載の液化天然ガスサテライト設備。
【請求項８】
前記脱圧ラインには加温器が備えられていることを特徴とする請求項１〜７いずれか１項記載の液化天然ガスサテライト設備。
【請求項９】
前記加温器で前記液化天然ガスを予め定められた温度まで加温するようにしたことを特徴とする請求項８記載の液化天然ガスサテライト設備。
【請求項１０】
前記ローリータンクの内圧が予め規定された圧力となると、脱圧工程を終了するようにしたことを特徴とする請求項１〜９のいずれか１項記載の液化天然ガスサテライト設備。
【発明の詳細な説明】
【技術分野】
【０００１】
本発明は、液化天然ガス（ＬＮＧ）タンクローリーからＬＮＧの移送を受けるＬＮＧ貯槽（貯蔵タンク）を備え、当該ＬＮＧ貯槽からＬＮＧを燃料ガスとして需要家に供給するためのＬＮＧサテライト設備に関し、特に、ＬＮＧタンクローリーからの移送完了後ＬＮＧタンクローリーのタンク内圧を低下させるための機構を有するＬＮＧサテライト設備及びローリータンク脱圧方法に関する。
【背景技術】
【０００２】
一般に、地方都市等においては、需要家にＬＮＧを燃料ガスとして供給するため、所謂ＬＮＧサテライト設備（サテライト基地）が配置されており、このＬＮＧサテライト設備には、ＬＮＧを貯蔵するＬＮＧ貯槽（ＬＮＧ貯蔵タンク）が設けられ、ＬＮＧ貯槽に貯蔵されたＬＮＧを気化器によって気化して、燃料ガスとして需要家に供給するようにしている。そして、このＬＮＧサテライト設備（つまり、ＬＮＧ貯槽）には、定期的にＬＮＧタンクローリー（以下単にタンクローリーと呼ぶ）によってＬＮＧが補給される。
【０００３】
このようなＬＮＧサテライト設備においては、ローリータンク（タンクローリーのタンク）から、ＬＮＧ移送ラインを介してＬＮＧをＬＮＧ貯槽に受入れている（移送している）。そして、このＬＮＧ貯槽から熱交換器（気化器）を介してガスタービン等の需要家設備に燃料払出しラインが連通している。
【０００４】
さらに、ＬＮＧサテライト設備には、ＬＮＧ移送ラインから分岐して、燃料払出しラインの熱交換器の上流側に連通して、ＬＮＧ貯槽へのＬＮＧの供給と並行して燃料払出しラインにＬＮＧを送出する燃料払出しサブラインと、ローリータンク及びＬＮＧ貯槽から排出されるガスを熱交換器を介してベントスタックに送出するガス排出ラインとが備えられている（例えば、特許文献１参照）。
【０００５】
ところで、タンクローリーからＬＮＧサテライト設備（つまり、ＬＮＧ貯槽）へのＬＮＧの移送が完了すると、タンクローリーはＬＮＧサテライト設備から、例えば、タンクローリー基地に戻ることになるが、道路交通の安全を考慮して、出発前にローリータンク内圧を所定のレベル（値）まで低下させる必要がある。つまり、脱圧操作（以下ローリータンク脱圧操作と呼ぶ）を行う必要がある。
【０００６】
従来、ローリータンクの脱圧を行う際には、ローリータンクから天然ガスを系外に放出してローリータンク内圧を低下させているが、ＬＮＧ貯槽内圧がローリータンク内圧よりも高い場合があるので、ベントスタックからローリータンクに残存する天然ガスを大気中に放出して、ローリータンク内圧を低下させている。
【特許文献１】特開２００２−５４７９６号公報
【発明の開示】
【発明が解決しようとする課題】
【０００７】
ところが、従来のようにローリータンク内に残存する天然ガスを大気中に放出して、ローリータンク内圧を下げると、天然ガスには、所謂温室効果ガスであるメタンなどが含まれている関係上、地球温暖化に関して好ましくないという課題がある。
【０００８】
さらに、ローリータンクに残存する天然ガスは燃料ガスとして使用できるにも拘らず、大気中に放出してしまうので、天然ガスの有効利用という観点からも好ましくないという課題がある。
【０００９】
従って、本発明は、タンクローリーからＬＮＧ貯槽にＬＮＧを移送した後ローリータンク内圧を低下させるに際して、地球温暖化の防止に資するとともに、ローリータンクに残存する天然ガスを有効利用することのできるＬＮＧサテライト設備を提供することを目的とする。
【課題を解決するための手段】
【００１０】
（１）  本発明は、タンクローリーに備えられたタンクからＬＮＧをＬＮＧ貯槽に移送して貯蔵し、当該ＬＮＧ貯槽から前記ＬＮＧを払い出し、当該ＬＮＧを気化器で気化して払出ラインを介して燃料ガスとして供給するＬＮＧサテライト設備であって、前記ローリータンクから前記ＬＮＧ貯槽に前記ＬＮＧを移送する移送ラインと、前記ＬＮＧの移送の際に前記ローリータンクの内圧を昇圧するための加圧ラインと、前記ＬＮＧの移送終了後、前記移送ラインによって前記ローリータンクと前記ＬＮＧ貯槽を連結した状態で前記ＬＮＧ貯槽を前記気化器の下流側で前記払出ラインに接続するとともに、前記ローリータンクを前記気化器の下流側で前記払出ラインに接続する脱圧ラインとを有することを特徴とするものである。
【００１１】
（１）に記載のＬＮＧサテライト設備では、ＬＮＧ貯槽へのＬＮＧの移送終了後、脱圧ラインによってＬＮＧ貯槽を気化器の下流側で払出ラインに接続するとともに、ローリータンクを気化器の下流側で払出ラインに接続するようにしたので、ローリータンク内に残存する天然ガスが直接的又は間接的に払出ラインに送られることになる。この結果、ローリータンクの内圧を降下させることができるばかりでなく、ローリータンク内の天然ガスが大気中に放出されることがない。
【００１２】
（２）  本発明は、（１）に記載のＬＮＧサテライト設備において、前記移送ラインはそれぞれ前記ＬＮＧ貯槽の下部及び上部に連結される第１及び第２の分岐ラインを有し、前記第１及び前記第２の分岐ラインにはそれぞれ第１及び第２の開閉弁が備えられており、前記ＬＮＧの移送の際に前記第１及び第２の開閉弁を開き、前記ＬＮＧの移送終了後前記第２の開閉弁を閉じるようにしたことを特徴とするものである。
【００１３】
（２）に記載のＬＮＧサテライト設備では、ＬＮＧの移送の際に第１及び第２の開閉弁を開き、ＬＮＧの移送終了後第２の開閉弁を閉じるようにしたので、ローリータンク内に残存する天然ガスがＬＮＧ貯槽に送られ、ＬＮＧ貯槽を介して払出ラインに天然ガスを送ることができる。
【００１４】
（３）  本発明は、（２）に記載のＬＮＧサテライト設備において、前記第１の開閉弁は、前記ローリータンクの内圧が前記ＬＮＧ貯槽の内圧に等しくなった際に閉じられることを特徴とするものである。
【００１５】
（３）に記載のＬＮＧサテライト設備では、第１の開閉弁を、ローリータンクの内圧がＬＮＧ貯槽の内圧に等しくなった際に閉じるようにしたので、さらにローリータンクの内圧を降下させたい場合には、ローリータンクから直接天然ガスを払出ラインに送り出すことができる。
【００１６】
（４）  本発明は、（３）に記載のＬＮＧサテライト設備において、前記第１及び第２の開閉弁を閉じた後、前記ローリータンクの内圧が前記燃料ガスの圧力以上である際に前記ローリータンクから天然ガスが前記脱圧ラインを介して前記払出ラインに供給されることを特徴とするものである。
【００１７】
（４）に記載のＬＮＧサテライト設備では、ローリータンクの内圧が燃料ガスの圧力以上のときに、ローリータンクから天然ガスが脱圧ラインを介して払出ラインに送られるので、ローリータンクの内圧を効果的に低減できる。
【００１８】
（５）  本発明は、（１）〜（４）のいずれかに記載のＬＮＧサテライト設備において、前記脱圧ラインは前記ＬＮＧ貯槽に連結される貯槽ラインと、前記ローリータンクに接続されるローリーラインとを有し、前記貯槽ラインには圧力調整弁が備えられていることを特徴とするものである。
【００１９】
（５）に記載のＬＮＧサテライト設備では、脱圧ラインはＬＮＧ貯槽に連結される貯槽ラインと、ローリータンクに接続されるローリーラインとを有し、貯槽ラインには圧力調整弁を備えるようにしたので、ＬＮＧ貯槽内の圧力が所定の圧力となると、ＬＮＧ貯槽内の天然ガスを自動的に脱圧ラインに送ることができる。
【００２０】
（６）  本発明は、（５）に記載のＬＮＧサテライト設備において、前記ローリーラインは少なくとも前記移送ラインに接続されていることを特徴とするものである。
【００２１】
（６）に記載のＬＮＧサテライト設備では、ローリーラインを少なくとも移送ラインに接続するようにしたので、ローリータンク内の天然ガスばかりでなく、移送ラインの天然ガスも脱圧ラインに送ることができる。
【００２２】
（７）  本発明は、（５）に記載のＬＮＧサテライト設備において、前記加圧ラインには加圧器が備えられており、前記ローリーラインは前記移送ラインに接続されるとともに、前記加圧器の上流側で前記加圧ラインに接続されていることを特徴とするものである。
【００２３】
（７）に記載のＬＮＧサテライト設備では、加圧ラインに加圧器を備えて、ローリーラインを移送ラインに接続するとともに、加圧器の上流側で加圧ラインに接続するようにしたので、ローリータンク内の天然ガスばかりでなく、移送ライン及び加圧ラインの天然ガスも脱圧ラインに送ることができる。
【００２４】
（８）  本発明は、（１）〜（７）のいずれかに記載のＬＮＧサテライト設備において、前記脱圧ラインには加温器が備えられていることを特徴とするものである。
【００２５】
（８）に記載のＬＮＧサテライト設備では、脱圧ラインに加温器を備えるようにしたので、所望の温度に、ローリータンク内の天然ガスを加温して払出ラインに供給することができる。
【００２６】
（９）  本発明は、（８）に記載のＬＮＧサテライト設備において、前記加温器で前記液化天然ガスを予め定められた温度まで加温するようにしたことを特徴とするものである。
【００２７】
（９）に記載のＬＮＧサテライト設備では、加温器で天然ガスを予め定められた温度まで加温するようにしたので、燃料ガス供給先が要求する温度まで加温して、天然ガスを有効利用とすることができる。
【００２８】
（１０）  本発明は、（１）〜（９）のいずれかに記載のＬＮＧサテライト設備において、前記ローリータンクの内圧が予め規定された圧力となると、脱圧工程を終了するようにしたことを特徴とするものである。
【００２９】
（１０）に記載のＬＮＧサテライト設備では、ローリータンクの内圧が予め規定された圧力となると、脱圧工程を終了するようにしたので、望ましい内圧までローリータンクの内圧を降下できる。
【発明の効果】
【００３０】
以上のように、本発明によれば、ＬＮＧ貯槽へのＬＮＧの移送終了後、脱圧ラインによってＬＮＧ貯槽を気化器の下流側で払出ラインに接続するとともに、ローリータンクを気化器の下流側で払出ラインに接続するようにしたから、天然ガスが大気中に放出されることがなく、燃料ガスとして有効に利用することができ、ローリータンクの内圧を降下させて、しかも地球温暖化防止に資することができるという効果がある。
【発明を実施するための最良の形態】
【００３１】
以下、本発明の実施形態について図面を参照して説明する。図１は本発明の実施の形態によるＬＮＧサテライト設備の一例を示す図であり、ＬＮＧサテライト設備は、ＬＮＧ受入システム１０を有しており、このＬＮＧ受入システム１０は、フレキシブルホース１１ａ〜１１ｃによってタンクローリー１２に接続される。タンクローリー１２にはＬＮＧバルブ機構１２ａが備えられており、ＬＮＧ受入システム１０はＬＮＧバルブ機構１２ａを介してタンクローリー１２のＬＮＧタンク（以下ローリータンクと呼ぶ）１３に接続されることになる。
【００３２】
ＬＮＧ受入システム１０は、ＬＮＧ加圧ライン２１及び２２、ＬＮＧ移送ライン２３、ＢＯＧ（ボイルオフガス）ライン（図示せず）、及びベントライン（図示せず）を有しており、これらラインは、例えば、配管である。ＬＮＧ加圧ライン２２及び２１はそれぞれフレキシブルホース１１ａ及び１１ｂに接続され、ＬＮＧ移送ライン２３はフレキシブルホース１１ｃに接続されている。また、ＬＮＧ加圧ライン２１及び２２はＬＮＧ加圧器（ローリー加圧器）２４に接続され、ＬＮＧ移送ライン２３はＬＮＧ貯槽（二重殻貯槽）２５に接続されている。
【００３３】
加圧ライン２２には圧力調整弁２６が備えられ、ＬＮＧ移送ライン２３は二つに分岐されて、一方の分岐ライン２３ａはＬＮＧ貯槽２５の下部に接続されている。また、他方の分岐ライン２３ｂはＬＮＧ貯槽２５の上部に至っている。そして、分岐ライン２３ａ及び２３ｂにはそれぞれ開閉弁２７ａ及び２７ｂが備えられている。
【００３４】
ＬＮＧ貯槽２５の底面には、払出ライン２８が連結され、この払出ライン２８にはＬＮＧ気化器２９及び圧力調整弁３０が配置され、ＬＮＧ貯槽２５から払い出されたＬＮＧはＬＮＧ気化器２９で気化され、燃料ガスとして需要家に供給される。
【００３５】
一方、ＬＮＧ気化器２９と圧力調整弁３０との間において、払出ライン２８には脱圧ライン３１が接続されている。この脱圧ライン３１には加温器３２が備えられており、加温器３２の下流側において、脱圧ライン３１は三つのライン、つまり、第１〜第３のライン３１ａ〜３１ｃに分岐されている。ここで、第１のライン３１ａは貯槽ライン、第２及び第３のライン３１ｂ及び３１ｃはローリータンクラインである。
【００３６】
第１のライン３１ａには圧力調整弁３３が備えられ、第１のライン３１ａの端部はＬＮＧ貯槽２５の上部に接続されている。また、第２のライン３１ｂはＬＮＧ移送ライン２３に接続され、第３のライン３１ｃは、ローリー加圧器２４の手前においてＬＮＧ加圧ライン２１に接続されている。
【００３７】
図２も参照して、ローリータンク１３からＬＮＧ貯槽２５にＬＮＧを受け入れる際には、前述のように、ＬＮＧ加圧ライン２２及び２１、ＬＮＧ移送ライン２３がそれぞれフレキシブルホース１１ａ、１１ｂ、及び１１ｃによってローリータンク１３に連結される（フレキシブルホース連結：ステップＳ１）。
【００３８】
その後、図示はしないが、窒素供給ラインからＬＮＧ移送ライン２３、ＬＮＧ加圧ライン２１及び２２に窒素ガスが供給され、ベントラインから排出を行ってＬＮＧ移送ライン２３、ＬＮＧ加圧ライン２１及び２２の空気を窒素ガスで置換する（窒素ガス置換：ステップＳ２）。
【００３９】
続いて、ベントラインから、ＬＮＧ移送ライン２３、ＬＮＧ加圧ライン２１及び２２の窒素ガスを排出して窒素ガスを天然ガスで置換する（天然ガス置換：ステップＳ３）。開閉弁２７ａ及び２７ｂを開いて、ＬＮＧ移送ライン２３によってローリータンク１３とＬＮＧ貯槽２５とを連通状態とした後、ＬＮＧ加圧ライン２１及び２２によってローリータンク１３とローリー加圧器２４とを連通させて、ＬＮＧを気化させてローリータンク１３内圧力を上昇させる（ローリータンク内圧上昇：ステップＳ４）。
【００４０】
そして、ローリータンク１３内圧力とＬＮＧ貯槽２５内圧力との圧力差に応じて、ＬＮＧ移送ライン２３によってローリータンク１３からＬＮＧ貯槽２５にＬＮＧを移送する（ＬＮＧ移送：ステップＳ５）。
【００４１】
このようにして、タンクローリー１２からＬＮＧをＬＮＧ貯槽２５に移送した後、ローリータンク１３内の脱圧が行われる（脱圧工程）。
【００４２】
図３を参照して、脱圧工程について説明する。ＬＮＧのＬＮＧ貯槽２５への移送が完了した状態においては、ローリータンク１３には天然ガスが残留しており、この天然ガスによってローリータンク１３内の圧力は高い状態にある（ローリータンク内圧＞ＬＮＧ貯槽内圧）。
【００４３】
そこで、開閉弁２７ｂを閉じる。この際、圧力調整弁３３が動作すると、ローリータンク１３から脱圧ラインに天然ガスを移送することができないことがあるため、圧力調整弁３３は強制的に閉止することが望ましい。これによって、ローリータンク１３に残存する天然ガスがＬＮＧ移送ライン２３を通ってＬＮＧ貯槽２５に送り込まれる（この際、天然ガスはＬＮＧ貯槽２５で再液化することになる）。
【００４４】
図示はしないが、圧力計によってローリータンク内圧及びＬＮＧ貯槽内圧が計測されており、ＬＮＧ貯槽内圧＝ローリータンク内圧であるか否かが判定され（ステップＳ７）、ＬＮＧ貯槽内圧＝ローリータンク内圧となると、開閉弁２７ａを閉じる（弁閉開操作：ステップＳ８）。さらに、調整弁３３の強制閉止を停止する。
【００４５】
ＬＮＧ貯槽２５内の圧力が所定の圧力以上となると（ステップＳ９）、圧力調整弁３３は、減圧弁として動作し、ＬＮＧ貯槽２５内の天然ガスが第１のライン３１ａを介して加温器３２に送り込まれることになる（天然ガスの放出：ステップＳ１０）。
【００４６】
一方、前述のようにして降圧した後のローリータンク内圧＞燃料ガス圧力であると（ステップＳ１１）、ローリータンク１３から天然ガスが第２及び第３のライン３１ｂ及び３１ｃを介して加温器３２に送り込まれることになって（天然ガスの放出：ステップＳ１２）、ローリータンク内圧はさらに低下することになる。そして、ローリータンク内圧力が予め規定された圧力まで脱圧すると（ステップＳ１３）、脱圧工程を終了する（ステップＳ１４）。
【００４７】
このようにして、脱圧工程において、ローリータンク１３内に残存する天然ガスをＬＮＧ貯槽２５に移送し、さらには、ローリータンク１３内に残存する天然ガスを脱圧ライン３１を介してＬＮＧ気化器２９の下流側に放出するようにしたので、従来のように、タンクローリー内圧を下げる際、つまり、脱圧を行う際、ローリータンク１３に残存する天然ガスが大気中に放出されることがない。
【００４８】
この結果、温室効果ガスが大気中に放出されることがなくなり、地球温暖化防止に資することができるばかりでなく、ローリータンク１３に残存する天然ガスを有効利用することができる。
【００４９】
なお、脱圧工程の際には、圧力調整弁３３を強制閉止することが望ましい旨説明したが、ＬＮＧ貯槽２５内の圧力が上昇して、警報が発生した場合には、圧力調整弁３３の強制閉止を停止して、ＬＮＧ貯槽２５内の天然ガスを優先的に加温器３２に送ることになる。
【００５０】
ところで、前述の脱圧工程は、図４に示す制御系によって行うようにしてもよい。図４において、制御装置４０は、弁制御部４１、圧力検出部４２、及び圧力比較部４３を有しており、この制御装置４０には入力部及び出力部を有する操作卓装置５０が接続されている。
【００５１】
操作卓装置５０から脱圧工程開始指令が与えられると、弁制御部４１は開閉弁２７ｂを閉じ、さらには、圧力調整弁３３は閉止する。圧力検出部４２はローリータンク１３及びＬＮＧ貯槽２５にそれぞれ備えられた圧力計５１及び５２によって計測された圧力値（ローリータンク内圧及びＬＮＧ貯槽内圧）を検出し、ローリータンク内圧及びＬＮＧ貯槽内圧を圧力比較部４３に与える。
【００５２】
圧力比較部４３では、ＬＮＧ貯槽内圧＝ローリータンク内圧となると、第１の弁閉止信号を弁制御部４１に与える。これによって、弁制御部４１は開閉弁２７ａを閉じるとともに、圧力調整弁３３の閉止を停止する。
【００５３】
ところで、上述の脱圧工程が終了した後には、窒素ガス供給ラインからＬＮＧ移送ライン２３、ＬＮＧ加圧ライン２１及び２２に窒素ガスを供給し、ベントラインからの排出を行ってＬＮＧ移送ライン２３、ＬＮＧ加圧ライン２１及び２２の天然ガスを窒素ガスで置換することになる。
【図面の簡単な説明】
【００５４】
【図１】本発明の実施の形態によるＬＮＧサテライト設備の構成の一例を示す系統図である。
【図２】図１に示すＬＮＧサテライト設備においてＬＮＧの移送を説明するためのフロー図である。
【図３】図１に示すＬＮＧサテライト設備において脱圧工程を説明するためのフロー図である。
【図４】図３に示す脱圧工程で用いられる制御系の一例を示すブロック図である。
【符号の説明】
【００５５】
１０  ＬＮＧ受入システム
１２  タンクローリー
１３  ローリータンク
２１，２２  ＬＮＧ加圧ライン
２３  ＬＮＧ移送ライン
２４  ＬＮＧ加圧器（ローリー加圧器）
２５  ＬＮＧ貯槽
２６，３０，３３  圧力調整弁
２７ａ，２７ｂ  開閉弁
２８  払出ライン
２９  ＬＮＧ気化器
３１  脱圧ライン
【図１】
0005063383.tif 000002
【図２】
0005063383.tif 000003
【図３】
0005063383.tif 000004
【図４】
0005063383.tif 000005